(57)【特許請求の範囲】
【請求項１】
身体に直接に装着され、導電部材を有して全体的に導電性を有する基材と、
該基材の上から更に身体に着用されて前記基材を前記身体に接触させた状態で押さえ、電源からの電流を前記基材へと導く電極を有する着用部材とを備え、
前記基材及び前記着用部材は、それぞれ単独で人体に着用できる構成であり、
前記導電部材は、銀製繊維であり、
前記基材は、前記銀製繊維と、絶縁性を有する通常繊維とから構成された布であり、
前記電極が取付けられた着用部材と前記基材との間には、前記電極から前記基材へと電流を広く導電させる導電面積拡大材が介在し、前記導電面積拡大材と前記基材との接触面積は、前記電極と前記導電面積拡大材との接触面積よりも広い面積を有し、前記電源から身体へと給電される電流が、前記導電面積拡大材を介して前記基材へと分散されて身体へと流れるように構成され、
前記電極の一端にはリード線が、他端部には前記導電面積拡大材がそれぞれ接続可能であって、
人間の身体に前記基材と前記着用部材を装着する際に、前記基材の上から前記着用部材を巻き付けたとき、前記着用部材は前記基材の少なくとも一部を押さえる構成であり、
前記基材と前記着用部材とが別体で構成されて前記基材が交換可能であると共に、前記基材を押さえる前記着用部材が身体に着用された状態で、前記電極から前記基材を伝って身体に電流が流れるように構成されたことを特徴とする美容システム。
【請求項２】
身体に直接に装着され、導電部材を有して全体的に導電性を有する基材と、
該基材の上から更に身体に着用されて前記基材を前記身体に接触させた状態で押さえ、電源からの電流を前記基材へと導く電極を有する着用部材とを備え、
前記基材及び前記着用部材は、それぞれ単独で人体に着用できる構成であり、
前記導電部材は、銀製繊維であり、
前記基材は、銀製繊維を内部に有する不織布から成り、
前記電極が取付けられた着用部材と前記基材との間には、前記電極から前記基材へと電流を広く導電させる導電面積拡大材が介在し、前記導電面積拡大材と前記基材との接触面積は、前記電極と前記導電面積拡大材との接触面積よりも広い面積を有し、前記電源から身体へと給電される電流が、前記導電面積拡大材を介して前記基材へと分散されて身体へと流れるように構成され、
前記電極の一端にはリード線が、他端部には前記導電面積拡大材がそれぞれ接続可能であって、
人間の身体に前記基材と前記着用部材を装着する際に、前記基材の上から前記着用部材を巻き付けたとき、前記着用部材は前記基材の少なくとも一部を押さえる構成であり、
前記基材と前記着用部材とが別体で構成されて前記基材が交換可能であると共に、前記基材を押さえる前記着用部材が身体に着用された状態で、前記電極から前記基材を伝って身体に電流が流れるように構成されたことを特徴とする美容システム。
【請求項３】
前記基材が、被服の形状で形成されたことを特徴とする請求項１又は２に記載の美容システム。
【発明の詳細な説明】
【技術分野】
【０００１】
この発明は、痩身、美肌等のエステティックを行う場合に用いられる美容システムに関するものである。
【背景技術】
【０００２】
生きている細胞、組織、体等には、生体電流と呼ばれる電流が流れている。体内の心肺機能の働き、胃腸の蠕動、四肢の曲げ伸ばし等、人間の生体活動の多くの場面で、生体電流が関与している。生体電流は、体の各組織を構成する細胞の内外での電位差に基づき現れる。
【０００３】
皮膚の深部から肌の表面まで絶えず微妙な電気バランスをとりながら人間の身体には生体電流が流れ続け、これにより円滑な新陳代謝等が維持され、肌機能が保たれている。生体電流は、個体の体調変化、加齢等により影響を受け、その発生力が弱まる場合もあり、かかる場合には生体内の微妙な電気バランスが保てなくなる。このようなアンバランスな状態が継続すると、体内の機能が少しずつ低下し、細胞の働きも衰え、筋肉の老化を引き起こす等し、健康障害、美容障害に至る。
【０００４】
その場合に、外部から人為的に微弱電流を流して生体を刺激すると、生体電流と同様に細胞活動が活性化し、筋肉の収縮運動を喚起して生体機能が高められる。そのため、人体に微弱電流を流して、痩身、美肌化を図ることが行われている。
【０００５】
そのような要求に応えた発明として、特許文献１に記載されたようなものがある。特許文献１には、「身体に装着される電気絶縁性の着用部材と、前記着用部材の前記身体と接触する側に接着された基材（布等）と、更に基材の身体と接触する側に設けられ、銀ペースト、アルミペースト、又は金ペーストで形成された可撓性を有する給電用電極とを具備することを特徴とするトリートメント装置。」が記載されている。
【０００６】
この発明によれば、「トリートメントを行うために身体に接触させる給電用電極が、導電性に優れる銀ペースト、アルミペースト、金ペーストを用いて形成されているので、身体にトリートメント用の微弱電流を効果的に供給することができ、良好なトリートメント効果を得ることができる。また、本発明によれば、比較的薄く成形することの可能な上記金、銀、アルミなどのペーストを用いて給電用電極が成形され、さらにその電極が伸縮性を有する基材を介して同様に伸縮性を持つ着用部材に取り付けられているので、給電用電極の身体への密着性が高まり、優れたトリートメント効果を発揮することができる。」と記載されている。
【特許文献１】特開２００３−２５０９１４号公報
【発明の開示】
【発明が解決しようとする課題】
【０００７】
しかしながら、特許文献１に記載された発明では、美容タイツの内側に基材が接着され、基材の内側に給電用電極が接着されて着脱不可とされた構成であることから、例えば、このような美容タイツと同様な構成をとるサポータを用いて、エステティックサロン等で複数人の身体の痩身、美肌のために用いられ、洗濯することなく複数人で着回すと衛生的ではなく、又、洗濯してもサポータを全体として洗濯することで耐久性が低下する虞があった。
【０００８】
そこで、この発明は、衛生的で、耐久性に優れた美容システムを提供することを課題とする。
【課題を解決するための手段】
【０００９】
かかる課題を達成するために、請求項１に記載の発明は、美容システムであって、身体に直接に装着され、導電部材を有して全体的に導電性を有する基材と、該基材の上から更に身体に着用されて前記基材を前記身体に接触させた状態で押さえ、電源からの電流を前記基材へと導く電極を有する着用部材とを備え、前記基材及び前記着用部材は、それぞれ単独で人体に着用できる構成であり、前記導電部材は、銀製繊維であり、前記基材は、前記銀製繊維と、絶縁性を有する通常繊維とから構成された布であり、前記電極が取付けられた着用部材と前記基材との間には、前記電極から前記基材へと電流を広く導電させる導電面積拡大材が介在し、前記導電面積拡大材と前記基材との接触面積は、前記電極と前記導電面積拡大材との接触面積よりも広い面積を有し、前記電源から身体へと給電される電流が、前記導電面積拡大材を介して前記基材へと分散されて身体へと流れるように構成され、前記電極の一端にはリード線が、他端部には前記導電面積拡大材がそれぞれ接続可能であって、人間の身体に前記基材と前記着用部材を装着する際に、前記基材の上から前記着用部材を巻き付けたとき、前記着用部材は前記基材の少なくとも一部を押さえる構成であり、前記基材と前記着用部材とが別体で構成されて前記基材が交換可能であると共に、前記基材を押さえる前記着用部材が身体に着用された状態で、前記電極から前記基材を伝って身体に電流が流れるように構成されたことを特徴とする。
【００１０】
請求項２に記載の発明は、美容システムであって、身体に直接に装着され、導電部材を有して全体的に導電性を有する基材と、該基材の上から更に身体に着用されて前記基材を前記身体に接触させた状態で押さえ、電源からの電流を前記基材へと導く電極を有する着用部材とを備え、前記基材及び前記着用部材は、それぞれ単独で人体に着用できる構成であり、前記導電部材は、銀製繊維であり、前記基材は、銀製繊維を内部に有する不織布から成り、前記電極が取付けられた着用部材と前記基材との間には、前記電極から前記基材へと電流を広く導電させる導電面積拡大材が介在し、前記導電面積拡大材と前記基材との接触面積は、前記電極と前記導電面積拡大材との接触面積よりも広い面積を有し、前記電源から身体へと給電される電流が、前記導電面積拡大材を介して前記基材へと分散されて身体へと流れるように構成され、前記電極の一端にはリード線が、他端部には前記導電面積拡大材がそれぞれ接続可能であって、人間の身体に前記基材と前記着用部材を装着する際に、前記基材の上から前記着用部材を巻き付けたとき、前記着用部材は前記基材の少なくとも一部を押さえる構成であり、前記基材と前記着用部材とが別体で構成されて前記基材が交換可能であると共に、前記基材を押さえる前記着用部材が身体に着用された状態で、前記電極から前記基材を伝って身体に電流が流れるように構成されたことを特徴とする。
【００１５】
請求項３に記載の発明は、請求項１又は２に記載の構成に加え、前記基材が、被服の形状で形成されたことを特徴とする。
【発明の効果】
【００１６】
請求項１及び請求項２に記載の発明によれば、基材と着用部材とが別体で構成されて、基材が着用部材に対して交換可能となるように構成されている。そのため、顧客に対して美容作業を行った後に、電極を有する着用部材をそのまま使用しつつ、基材のみを新しいものと交換して、美容作業を行うことができる。従って、従来のように、着用部材の裏面に導電部材が直接に貼付された着用部材を、全体として頻繁に洗濯しなくても、衛生的で、耐久性に優れた美容作業を行うことができる。なお、この場合にも、基材のみを洗濯して、再度、美容作業に用いることもできる。
【００１７】
請求項１及び請求項２に記載の発明によれば、導電部材は、銀製繊維である。従って、銀製繊維が、導電性、滅菌性に優れることから、顧客は、美容作業を受けるに伴って、肌が効率良く活性化し、体臭等も消去される。また、顧客に対して美容作業を行う者は、基材を洗いまわして使用できる回数が増加する利点を享受できる。
【００１８】
請求項１に記載の発明によれば、基材は、銀製繊維と、絶縁性を有する通常繊維とから構成された布である。従って、通常繊維に対する銀製繊維の比率を調節することにより、布を通じて身体に流れる電流の大きさを調節することができる。
【００１９】
請求項２に記載の発明によれば、基材は、銀製繊維を内部に有する不織布である。従って、不織布内の銀製繊維の比率を調節することにより、不織布を通じて身体に流れる電流の大きさを調節することができる。また、不織布の触感が人間の身体にとって柔らかいので、顧客は快適に美容作業を受けることができる。
【００２０】
請求項１及び請求項２に記載の発明によれば、着用部材と基材との間には、電極から基材へと電流を広く導電させる導電面積拡大材が介在し、導電面積拡大材と基材との接触面積は、電極と導電面積拡大材との接触面積よりも広い面積を有し、電流が、導電面積拡大材を介して基材へと分散されて身体へと流れる。従って、電極から基材へと流れる電流が、導電面積拡大材に導電しながら広がって基材へと流れて、更に身体へと円滑に流れるようにすることができる。
【００２１】
請求項１及び請求項２に記載の発明によれば、導電面積拡大材は、着用部材と別体で構成されて交換可能である。従って、導電面積拡大材が破れても、交換して、導電面積拡大材の機能を維持することができる。
【００２２】
請求項３に記載の発明によれば、基材が、被服の形状で形成されている。従って、美容作業にあたり、基材を、身体に貼付したり巻回したりする必要をなくすることができる。
【発明を実施するための最良の形態】
【００２３】
［発明の実施の形態］
以下、この発明の実施の形態について説明する。
【００２４】
図１乃至図７は、この発明の実施の形態を示す。
【００２５】
まず、構成を簡単に説明すると、美容システム１０は、図１で示すように、身体１に直接に装着され、「導電部材」である銀製繊維１２ｂ（図２参照）を有する「基材」である布１２と、布１２の上から更に身体１に着用され、電源２３からの電流を布１２へと導く電極２１ａ〜２１ｆを有する「着用部材」であるサポータ１３〜１７とを備えている。
【００２６】
布１２は、図２（Ａ）で示すように、長尺状の布であり、人間の身体１に巻回できる形状となっており、図２（Ｂ）で示すように、銀製繊維１２ｂが絶縁性を有する通常繊維１２ａと一緒に編み込まれ（図２（Ｂ）中で、符号１２ｂが銀製繊維であり、その銀製繊維１２ｂ間の繊維が通常繊維１２ａである。）、銀製繊維１２ｂは、通常繊維１２ａに対して所定間隔毎に設けられている。また、布１２は、長方形や正方形や円形等でも良く、人間の身体１の各部に巻回するだけでなく、直接に貼付できる構成としても良い。
【００２７】
布１２は、図７（Ａ），（Ｂ）で示すように、肩、腹、太股、ふくらはぎ等に、各々別個に装着される。すなわち、肩の布１２と腹の布１２と太股の布１２とふくらはぎの布１２とが、互いに重ならないように身体１に装着される。
【００２８】
サポータ１３〜１７は、身体１の形状を引き締めるためと、布１２を顧客の身体１に固定するために着用される
【００２９】
上半身用サポータ１３は、図３（Ａ）で示すように、上半身用サポータ本体１３−１に対して横方向に延設された横方向巻回部１３ａ〜１３ｆと、上半身用サポータ本体１３−１に対して上方向に延設された上下方向巻回部１３ｇ，１３ｈとを備えている。横方向巻回部１３ａ〜１３ｆは、左右に３列づつに分かれて上半身用サポータ本体１３−１に設けられると共に、上下方向巻回部１３ｇ，１３ｈは、上半身用サポータ本体１３−１に対して２本とも上方向に向けて設けられている。このうち、横方向巻回部１３ｄ〜１３ｆ及び上下方向巻回部１３ｇ，１３ｈの先端部の裏面には、図３（Ａ）で示すように、面ファスナ（マジックテープ（登録商標））部１３ｐ〜１３ｒ，１３ｓ，１３ｔが取付けられている。また、図３（Ａ）で示すように、上下方向巻回部１３ｇの先端部近傍の裏面には、電極２１ａが取付けられており、その電極２１ａの上から、導電面積拡大布２２ａが貼付され、横方向巻回部１３ｅの先端部近傍の裏面には、電極２１ｂが取付けられており、その電極２１ｂの上から導電面積拡大布２２ｂが貼付されている。上半身用サポータ１３の裏面は、前述のように図３（Ａ）で示す構成であり、上半身用サポータ１３の表面は、図示しないが、面ファスナ（マジックテープ（登録商標））部１３ｐ〜１３ｒ，１３ｓ，１３ｔが貼り付くことができる生地で構成されている。
【００３０】
左太股用サポータ１４は、図４（Ａ）で示すように、左太股用サポータ本体１４−１に対して横方向に延設された横方向巻回部１４ａ〜１４ｆを備えている。また、横方向巻回部１４ａ〜１４ｆは、左右に３列づつ分かれて設けられている。横方向巻回部１４ｄは、横方向巻回部１４ａよりも長く形成されており、左太股の付け根の太さが太くても確実に締めることができるようになっている。また、このために、身体１の尻の部位の筋肉を上方へと持ち上がる効果も生じる。横方向巻回部１４ｄ〜１４ｆの先端部の裏面には、図４（Ａ）で示すように、面ファスナ（マジックテープ（登録商標））部１４ｐ〜１４ｒが取付けられている。さらに、横方向巻回部１４ｃの先端部近傍の裏面には、図４（Ａ）で示すように、電極２１ｃが取付けられており、その電極２１ｃの上から「導電面積拡大材」である導電面積拡大布２２ｃが貼付されている。左太股用サポータ１４の裏面は、前述のように図４（Ａ）で示す構成であり、左太股用サポータ１４の表面は、図示しないが、面ファスナ（マジックテープ（登録商標））部１４ｐ〜１４ｒが貼り付くことができる生地で構成されている。
【００３１】
なお、横方向巻回部１４ｄ〜１４ｆの方に面ファスナ（マジックテープ（登録商標））部１４ｐ〜１４ｒが取付けられ、横方向巻回部１４ａ〜１４ｃの方には、面ファスナ（マジックテープ（登録商標））部が取付けられていない。このように、横方向巻回部１４ｄ〜１４ｆの裏面に取付けられた面ファスナ（マジックテープ（登録商標））部１４ｐ〜１４ｒが、横方向巻回部１４ａ〜１４ｃの表面から剥がされるような構成としたのは、人間の太股の外側の筋肉が太股前方から太股の内側の方へと移動することによってたるむので、身体１の太股の内側から外側に向けて力を加えて剥がすようにした方が、人間の太股の筋肉の配置が整えられるようにできるからである。
【００３２】
また、同様に、右太股用サポータ１５は、図４（Ｃ）で示すように、右太股用サポータ本体１５−１に対して横方向に延設された横方向巻回部１５ａ〜１５ｆを備えている。また、横方向巻回部１５ａ〜１５ｆは、左右に３列づつ分かれて設けられている。横方向巻回部１５ｄは、横方向巻回部１５ａよりも長く形成されており、左太股の付け根の太さが太くても確実に締めることができるようになっている。また、このために、身体１の尻の部位の筋肉が上方へと持ち上がる効果も生じる。このうち、横方向巻回部１５ｄ〜１５ｆの先端部の裏面には、図４（Ｃ）で示すように、面ファスナ（マジックテープ（登録商標））部１５ｐ〜１５ｒが取付けられている。さらに、横方向巻回部１５ｃの先端部近傍の裏面には、図４（Ｃ）で示すように、電極２１ｄが取付けられており、その電極２１ｄの上から「導電面積拡大材」である導電面積拡大布２２ｄが貼付されている。右太股用サポータ１５の裏面は、前述のように図４（Ｃ）で示す構成であり、右太股用サポータ１５の表面は、図示しないが、面ファスナ（マジックテープ（登録商標））部１５ｐ〜１５ｒが貼り付くことができる生地で構成されている。
【００３３】
なお、横方向巻回部１５ｄ〜１５ｆの方に面ファスナ（マジックテープ（登録商標））部１５ｐ〜１５ｒが取付けられ、横方向巻回部１５ａ〜１５ｃの方には、面ファスナ（マジックテープ（登録商標））部が取付けられていない。このように、横方向巻回部１５ｄ〜１５ｆの裏面に取付けられた面ファスナ（マジックテープ（登録商標））部１５ｐ〜１５ｒが、横方向巻回部１５ａ〜１５ｃの表面から剥がされるような構成としたのは、人間の太股の外側の筋肉が太股前方から太股の内側の方へと移動することによってたるむので、身体１の太股の内側から外側に向けて力を加えて剥がすようにした方が、人間の太股の筋肉の配置が整えられるようにできるからである。
【００３４】
左ふくらはぎ用サポータ１６及び右ふくらはぎ用サポータ１７は、図４（Ｅ）で示すように、長尺状に帯状に形成されており、裏面の先端部には、各々に面ファスナ（マジックテープ（登録商標））部１６ｐ，１７ｐが取付けられ、その各々の近傍には、電極２１ｅ，２１ｆが取付けられており、その電極２１ｅ，２１ｆの上から各々に「導電面積拡大材」である導電面積拡大布２２ｅ，２２ｆが貼付されている。各ふくらはぎ用サポータ１６，１７の表面には、図示しないが、面ファスナ（マジックテープ（登録商標））部１６ｐ，１７ｐが貼り付くことができる生地で構成されている。
【００３５】
帯用サポータ１８は、図４（Ｆ）で示すように、長尺状に帯状に形成されており、裏面の先端部には、面ファスナ（マジックテープ（登録商標））部１８ｐが取付けられている。帯用サポータ１８の表面は、図示しないが、面ファスナ（マジックテープ（登録商標））部１８ｐが貼り付くことができる生地で構成されている。
【００３６】
上半身用サポータ１３の上下方向巻回部１３ｇ、上半身用サポータ１３の横方向巻回部１３ｅ、左太股用巻回部１４、右太股用巻回部１５、左ふくらはぎ用巻回部１６、右ふくらはぎ用巻回部１７は、それらの各々に、１個づつの電極２１ａ〜２１ｆが設けられている。このように各部位に対して、１個の電極２１ａ〜２１ｆを設け、２個以上の電極を設けないのは、一つの部位に対して２個の電極を設けると、電流が、その２個の電極のうちの一方の電極から布１２に流れ、布１２から２個の電極のうちの他方の電極へと流れ、布１２を伝って流れる方がほとんどで、身体１内を電流が流れ難くなる虞があるから、そのようなことを防止するためである。
【００３７】
布１２が、前述したように、肩、腹、太股、ふくらはぎで、別個に装着されるのも、それらの部位に装着された布１２同士で導通してしまうのを防止するためである。
【００３８】
なお、これらの布１２（図２参照）とサポータ１３〜１７（図３及び図４参照）とは、各々が別体で構成されており、布１２がサポータ１３〜１７に対して交換可能である。電源２３の出力端子２３ａ〜２３ｆには、導線２４の一方の端部が接続され、電極２１ａ〜２１ｆには、導線２４の他方の端部に取付けられている端子２５が接続される（図５参照）。また、サポータ１３〜１７が身体に着用された状態では、電極２１ａ〜２１ｆから布１２を伝って身体１に電流が流れるように構成されている。
【００３９】
美容作業を行うときには、図５で示すように、身体１の肌部１ａに対して、導電性化粧水１１ａが塗布され、その上から布１２が巻回される等して装着され、その上から更にサポータ１３〜１７が装着される。なお、図５は、上半身用サポータ１３の電極２１ａの部位における断面を示しているが、他のサポータ１４〜１７についても、同様の断面となる。
【００４０】
導電面積拡大布２２は、電極２１ａから布１２へと電流を導く機能を有し、電極が取付けられたサポータ１３〜１７と布１２との間に介在されることとなる。導電面積拡大布２２と布１２との接触面積は、電極２１ａと導電面積拡大布２２との接触面積よりも広い面積を有し、電源２３から身体１へと給電される電流が、導電面積拡大布２２を介して布１２へと分散されて身体１へと流れるようになっている。また、導電面積拡大布２２は、サポータ１３〜１７に貼付けられている。
【００４１】
導電面積拡大布２２が設けられたことにより、図５の矢印で示すように、布１２に伝導される電流が効率良く分散されることになる。
【００４２】
次に、この発明の実施の形態に係る美容作業方法に関して、図６及び図７を参照しながら述べる。
【００４３】
まず、エステティシャンは、図６（Ａ）で示すように、ベッド２上に顧客の身体１を載置して、図６（Ａ），（Ｂ）で示す化粧水ボトル１１から導電性化粧水１１ａを出して、顧客の身体１に塗布する（導電性化粧水の塗布工程）。
【００４４】
それから、エステティシャンは、図７（Ａ），（Ｂ）で示すように、布１２を顧客の身体１に巻回して（基材装着工程）、図７（Ｃ）で示すように、サポータ１３〜１７を顧客の身体１に着用させる（着用部材着用工程）。また、その上から、帯用サポータ１８を着用させる。
【００４５】
サポータ１３〜１７の電極２１ａ〜２１ｆと、電源２３の各出力端子２３ａ〜２３ｆに接続された端子２５（図５参照）とを接続して、電源２３のスイッチをオンにし、電流を身体１に流す。そうすると、図５の矢印で示すように、電流は、出力端子２３ａ〜２３ｆから電極２１ａ〜２１ｆを通じて導電面積拡大布２２で導電されて、布１２へと広がって流れ、肌部１ａに電流が流れることとなる。
【００４６】
エステティシャンは、その顧客に対する美容作業を終えた後に、次の顧客に対する美容作業をする場合には、新しい別個の布１２を次の顧客に対して巻回して美容作業を行うこととなる（基材交換工程）。
【００４７】
このような美容システムによれば、布１２とサポータ１３〜１７とが別体で構成されて、布１２がサポータ１３〜１７に対して交換可能となるように構成されている。そのため、顧客に対して美容作業を行った後に、電極２１ａ〜２１ｆを有するサポータ１３〜１７をそのまま使用しつつ、布１２のみを新しいものと交換して、美容作業を行うことができる。従って、従来のように、サポータ１３〜１７の裏面に銀製繊維１２ｂが直接に貼付されたサポータ１３〜１７を、全体として頻繁に洗濯しなくても、衛生的で、耐久性に優れた美容作業を行うことができる。なお、この場合にも、布１２のみを洗濯して、再度、美容作業に用いることもできる。
【００４８】
また、布１２は銀製繊維１２ｂを有する。従って、銀製繊維１２ｂが、導電性、滅菌性に優れることから、顧客は、美容作業を受けるに伴って、肌部１ａが効率良く活性化し、体臭等も消去される。また、顧客に対して美容作業を行う者は、布１２を洗いまわして使用できる回数が増加する利点を享受できる。
【００４９】
さらに、布１２は、銀製繊維１２ｂと、絶縁性を有する通常繊維１２ａとから構成された布である。従って、通常繊維１２ａに対する銀製繊維１２ｂの比率を調節することにより、布１２を通じて身体１に流れる電流の大きさを調節することができる。また、通常繊維１２ａに対する銀製繊維１２ｂの比率を大きくすれば、電流を密に流すことができ、通常繊維１２ａに対する銀製繊維１２ｂの比率を小さくすれば、電流を粗く流すことができる。
【００５０】
また、サポータ１３〜１７と布１２との間には、電極２１ａ〜２１ｆから布１２へと電流を広く導電させる導電面積拡大布２２が介在し、導電面積拡大布２２と布１２との接触面積は、電極２１ａ〜２１ｆと導電面積拡大布２２との接触面積よりも広い面積を有し、電流が、導電面積拡大布２２を介して布１２へと分散されて身体１へと流れる。従って、電極２１ａ〜２１ｆから布１２へと流れる電流が、導電面積拡大布２２を導電しながら広がって布１２へと導電し、身体１へと円滑に流れるようにすることができる。
【００５１】
さらに、布１２が身体１に巻回される構成とすることにより、必ずしも身体１の全体をサポータ１３〜１７で被服するように装着する必要がない。布１２が身体１に巻回されれば、電極２１ａ〜２１ｆを流れる電流を身体１に流す点に関しては、問題ないからである。
【００５２】
なお、この発明の実施の形態によれば、布１２に編みこまれた銀製繊維１２ｂは、並んで織られている通常繊維１２ａの所定間隔毎に、編みこまれていたが、上記実施の形態に限定されない。すなわち、布１２の全部の繊維を、芯となる繊維一本一本の各々の周りを銀でコーティングされた銀製繊維１２ｂとすることも可能である。
【００５３】
また、この発明の実施の形態によれば、布１２は、長尺状に形成されて身体に対して巻回されるものであったが、上記実施の形態に限定されない。すなわち、布１２の形状が、被服の形状に形成されることも可能である。そうすれば、エステティシャンは、布１２を顧客の身体１に巻回する手間を省くことができる。例えば、布１２の形状を、Ｔシャツ、パンツ、靴下等の被服の形状にする等が考えられる。
【００５４】
さらに、この発明の実施の形態によれば、「基材」として布１２を使用していたが、上記実施の形態に限定されない。すなわち、「基材」として、不織布を用いる美容システム１０とすることも可能である。この場合には、例えば、不織布の内部に銀製繊維１２ｂを入れた構成とすることが考えられる。これによれば、不織布内の銀製繊維１２ｂの比率を調節することにより、不織布を通じて身体１に流れる電流の大きさを調節することができる。また、不織布の触感が、人間の身体１にとって柔らかいので、顧客は、快適に美容作業を受けることができる。
【００５５】
また、この発明の実施の形態によれば、導電面積拡大布１２は、サポータ１３〜１７に縫い付けて貼付されていたが、上記実施の形態に限定されない。すなわち、導電面積拡大布２２は、サポータ１３〜１７と別体で構成されて交換可能とすることも可能である。これによれば、導電面積拡大布２２が破れても、交換して、導電面積拡大布２２の機能を維持することができる。
【図面の簡単な説明】
【００５６】
【図１】この発明の実施の形態に係る美容システムの全体構成図である。
【図２】同実施の形態に係る布の構成図であり、（Ａ）は、布の全体構成図であり、（Ｂ）は、（Ａ）の部分拡大構成図である。
【図３】同実施の形態に係る上半身用サポータの構成を示す図であり、（Ａ）は、上半身用サポータの裏面図であり、（Ｂ）は、横方向巻回部を畳んだ状態を示す上半身用サポータの正面図であり、（Ｃ）は、上下方向巻回部を畳んだ状態を示す上半身用サポータの正面図である。
【図４】同実施の形態に係るその他のサポータの構成を示す図であり、（Ａ）は、左太股用サポータの裏面図であり、（Ｂ）は、横方向巻回部を畳んだ状態を示す左太股用サポータの正面図であり、（Ｃ）は、右太股用サポータの裏面図であり、（Ｄ）は、横方向巻回部を畳んだ状態を示す右太股用サポータの正面図であり、（Ｅ）は、左ふくらはぎ用サポータ及び右ふくらはぎ用サポータの裏面図であり、（Ｆ）は、帯用サポータの裏面図である。
【図５】同実施の形態に係る肌部、導電性化粧水、不織布、サポータ、電極、導電面積拡大布との関係を示す断面図である。
【図６】同実施の形態に係る美容方法の工程を示す説明図等であり、（Ａ）は、エステティシャンが導電性化粧水を身体に塗布する状況を示す図であり、（Ｂ）は、導電性化粧水が入った化粧水ボトルの構成図である。
【図７】同実施の形態に係る美容方法の工程を示す説明図等であり、（Ａ）は、身体に対して布を巻回した状況を示す正面図であり、（Ｂ）は、身体に対して布を巻回した状況を示す背面図であり、（Ｃ）は、布を巻回した上からサポータを着用させた状況を示す正面図である。
【符号の説明】
【００５７】
1         身体
10        美容システム
11        化粧水ボトル
11a       導電性化粧水
12        不織布（基材）
12a       通常繊維
12b       銀製繊維（導電部材）
13        上半身用サポータ（着用部材）
14        左太股用サポータ（着用部材）
15        右太股用サポータ（着用部材）
16        左ふくらはぎ用サポータ（着用部材）
17        右ふくらはぎ用サポータ（着用部材）
18        帯用サポータ（着用部材）
21a〜21f  電極
22a〜22f  導電面積拡大布（導電面積拡大材）
23        電源
23a〜23f  出力端子
【図１】
0004787667.tif 000002
【図２】
0004787667.tif 000003
【図３】
0004787667.tif 000004
【図４】
0004787667.tif 000005
【図５】
0004787667.tif 000006
【図６】
0004787667.tif 000007
【図７】
0004787667.tif 000008